(57)【要約】【課題】故障解析をより短時間で容易に行うことが可能なオーディオ装置を提供する。【解決手段】スピーカ手段２に接続されるオーディオ装置Ｓにおいて、入力信号Ｓinを増幅して、スピーカ手段２を駆動するための駆動信号Ｓdを生成する増幅手段１と、増幅手段１における異常状態を検出する異常状態検出手段３と、異常状態が検出されたタイミングにおける入力信号Ｓinの入力レベル及び周波数を夫々検出する信号諸元検出手段４と、記憶手段５と、検出された入力レベルを示す入力レベル情報と、検出された周波数を示す周波数情報と、対応するタイミングを示すタイミング情報と、を含む諸元情報を記憶手段５に記憶させる記憶制御手段６と、を備える。【選択図】図１
2011205566.tif 000002
【特許請求の範囲】
【請求項１】
スピーカ手段に接続されるオーディオ装置において、
入力信号を増幅して、前記スピーカ手段を駆動するための駆動信号を生成する増幅手段と、
前記増幅手段における異常状態を検出する異常状態検出手段と、
前記異常状態が検出されたタイミングにおける前記入力信号の入力レベル及び周波数を夫々検出する信号諸元検出手段と、
記憶手段と、
前記検出された入力レベルを示す入力レベル情報と、前記検出された周波数を示す周波数情報と、前記タイミングを示すタイミング情報と、を含む諸元情報を前記記憶手段に記憶させる記憶制御手段と、
を備えることを特徴とするオーディオ装置。
【請求項２】
請求項１に記載のオーディオ装置において、
前記記憶制御手段は、前記タイミングに対応する前記諸元情報を前記記憶手段に記憶させることを、前記異常状態が検出される度に繰り返すことを特徴とするオーディオ装置。
【請求項３】
請求項１又は２に記載のオーディオ装置において、
前記諸元情報を、ネットワークを介して接続された外部のサーバ装置に出力して記憶させる出力手段を更に備えることを特徴とするオーディオ装置。
【請求項４】
請求項１又は２に記載のオーディオ装置において、
新たに入力された入力信号の周波数と同一の周波数を示す前記周波数情報が含まれている前記諸元情報に含まれている前記入力レベル情報により示される前記入力レベルである記憶入力レベルと、前記新たに入力された入力信号の前記入力レベルである新規入力レベルと、を比較する比較手段と、
前記新規入力レベルが前記記憶入力レベル以上であるとき、当該新規入力レベルが当該記憶入力レベル未満となるように、前記新たに入力された入力信号を減衰させて前記増幅手段に出力する減衰手段と、
を備えることを特徴とするオーディオ装置。
【請求項５】
請求項１から４のいずれか一項に記載のオーディオ装置において、
前記異常状態は、前記増幅手段における過電流発生状態であることを特徴とするオーディオ装置。
【請求項６】
スピーカ手段に接続され、且つ、記憶手段と、入力信号を増幅して前記スピーカ手段を駆動するための駆動信号を生成する増幅手段と、を備えるオーディオ装置において実行される情報処理方法において、
前記増幅手段における異常状態を検出する異常状態検出工程と、
前記異常状態が検出されたタイミングにおける前記入力信号の入力レベル及び周波数を夫々検出する信号諸元検出工程と、
前記検出された入力レベルを示す入力レベル情報と、前記検出された周波数を示す周波数情報と、前記タイミングを示すタイミング情報と、を含む諸元情報を前記記憶手段に記憶させる記憶制御工程と、
を含むことを特徴とする情報処理方法。
【請求項７】
スピーカ手段に接続され且つ入力信号を増幅して前記スピーカ手段を駆動するための駆動信号を生成する増幅手段を備えるオーディオ装置に含まれるコンピュータを、
前記増幅手段における異常状態を検出する異常状態検出手段、
前記異常状態が検出されたタイミングにおける前記入力信号の入力レベル及び周波数を夫々検出する信号諸元検出手段、
記憶手段、及び、
前記検出された入力レベルを示す入力レベル情報と、前記検出された周波数を示す周波数情報と、前記タイミングを示すタイミング情報と、を含む諸元情報を前記記憶手段に記憶させる記憶制御手段、
として機能させることを特徴とするオーディオ装置用プログラム。
【請求項８】
請求項７に記載のオーディオ装置用プログラムが前記コンピュータにより読み取り可能に記録されていることを特徴とする情報記録媒体。
【発明の詳細な説明】
【技術分野】
【０００１】
本願は、オーディオ装置、情報処理方法並びにオーディオ装置用プログラム及び情報記録媒体の技術分野に属する。より詳細には、故障解析用の情報を収集するオーディオ装置及び情報処理方法並びに当該オーディオ装置用のプログラム及びそのプログラムが記録された情報記録媒体の技術分野に属する。
【背景技術】
【０００２】
一般に、スピーカに接続されるオーディオ装置には様々な保護機能が付加されており、その動作環境が様々に変化したとしても、オーディオ装置自体の機能は保護される。このようなオーディオ装置の一般的な保護についての先行技術文献には、例えば下記特許文献１が挙げられる。特許文献１に開示されている技術では、アンプ部に発生した過電流を検出する過電流検出部を備えると共に、アンプ部からの出力電圧が一定以上である場合に強制的に過電流検出部の機能をオフとする構成とされている。特許文献１に開示されている技術では、この構成により、ショートにより発生する過電流の誤検出を防止している。
【０００３】
一方、上述のような保護機能を備えていてもなお、オーディオ装置が故障する場合はあり得る。このような故障が発生してしまった場合にはその修理を行うこととなるが、その修理では、故障の原因となった事象及びその原因事象の発生理由の解析が必須となる。通常、この原因事象の解析は故障発生後に事後的に行われる。従来においては、この事後的な検証を容易とするため、オーディオ装置が正常に動作している段階から、その動作の内容等を示すログデータを自動的且つ継続して記録することが行われている。例えば下記特許文献２に記載されている先行技術では、増幅部への入力信号の電圧、増幅部からの出力信号の電圧、増幅部のゲイン並びに周囲温度及び増幅部の電源電圧を、現在時刻を示すリアルタイムクロックに対応付けて自動的且つ継続して記録する構成とされている。そして、記録後の入力信号の電圧等について、入力信号の電圧→出力信号の電圧→ゲイン…の順に異常値か否かを判定することで、故障の原因事象たる異常状態となった理由が、オーディオ装置の内部要因であるのか外部要因であるのかを判別することができる構成とされている。
【先行技術文献】
【特許文献】
【０００４】
【特許文献１】特開２００７−０７４１１９号公報
【特許文献２】特開２００４−１２８８０７号公報
【発明の概要】
【発明が解決しようとする課題】
【０００５】
しかしながら、上記特許文献２に記載されている先行技術では、メモリに記録されるのは、入力信号及び出力信号夫々の電圧並びに周囲温度及び電源電圧のみであった。従って、入力信号の周波数の変化に基づく原因事象については、事後的な解析が不可能であるか、又は解析が行えても多大な時間と労力が必要となるという問題点があった。
【０００６】
即ちオーディオ装置の場合、その出力端は、最終的にはスピーカに接続される。ここで、スピーカの入力インピーダンスは、一般にそのスピーカの駆動信号の周波数により変化する。よって、このようなスピーカに接続されるオーディオ装置の動作も、上記駆動信号及びその生成元となる入力信号の周波数により種々に変化する。従って、上記特許文献２に開示されている技術では、周波数に関する情報が何ら記録されないため、周波数に基づく原因事象については事後的な解析が不可能なのである。
【０００７】
より具体的に例えば、さほど音量を大きくしていないのにアンプ部が故障してしまったという事象がある。また、あるコンパクトディスクを再生中において、さほど音量を大きくしていないのに装置保護のための過電流検出が頻繁に行われてしまう場合があり、更にこのコンパクトディスクではボリューム値を−１０ｄＢとして再生しても過電流の検出による機能停止は起こることはないのに、他のコンパクトディスクではボリューム値を−１５ｄＢとしても過電流の検出による機能停止が起こる、という事象がある。そしてこれらの事象の発生理由が、スピーカの入力インピーダンスが低くなる周波数において、アンプ部に過電流が流れていたことによる、という場合がある。
【０００８】
そこで本願は、上記の問題点に鑑みて為されたもので、その課題の一例は、故障解析をより短時間で容易に行うことが可能なオーディオ装置及び情報処理方法並びに当該オーディオ装置用のプログラム及びそのプログラムが記録された情報記録媒体を提供することにある。
【課題を解決するための手段】
【０００９】
上記の課題を解決するために、請求項１に記載の発明は、スピーカ手段に接続されるオーディオ装置において、入力信号を増幅して、前記スピーカ手段を駆動するための駆動信号を生成する増幅手段と、前記増幅手段における異常状態を検出する異常状態検出手段と、前記異常状態が検出されたタイミングにおける前記入力信号の入力レベル及び周波数を夫々検出する信号諸元検出手段と、記憶手段と、前記検出された入力レベルを示す入力レベル情報と、前記検出された周波数を示す周波数情報と、前記タイミングを示すタイミング情報と、を含む諸元情報を前記記憶手段に記憶させる記憶制御手段と、を備える。
【００１０】
上記の課題を解決するために、請求項６に記載の発明は、スピーカ手段に接続され、且つ、記憶手段と、入力信号を増幅して前記スピーカ手段を駆動するための駆動信号を生成する増幅手段と、を備えるオーディオ装置において実行される情報処理方法において、前記増幅手段における異常状態を検出する異常状態検出工程と、前記異常状態が検出されたタイミングにおける前記入力信号の入力レベル及び周波数を夫々検出する信号諸元検出工程と、前記検出された入力レベルを示す入力レベル情報と、前記検出された周波数を示す周波数情報と、前記タイミングを示すタイミング情報と、を含む諸元情報を前記記憶手段に記憶させる記憶制御工程と、を含む。
【００１１】
上記の課題を解決するために、請求項７に記載の発明は、スピーカ手段に接続され且つ入力信号を増幅して前記スピーカ手段を駆動するための駆動信号を生成する増幅手段を備えるオーディオ装置に含まれるコンピュータを、前記増幅手段における異常状態を検出する異常状態検出手段、前記異常状態が検出されたタイミングにおける前記入力信号の入力レベル及び周波数を夫々検出する信号諸元検出手段、記憶手段、及び、前記検出された入力レベルを示す入力レベル情報と、前記検出された周波数を示す周波数情報と、前記タイミングを示すタイミング情報と、を含む諸元情報を前記記憶手段に記憶させる記憶制御手段、として機能させる。
【００１２】
上記の課題を解決するために、請求項８に記載の発明は、請求項７に記載のオーディオ装置用プログラムが前記コンピュータにより読み取り可能に記録されている。
【図面の簡単な説明】
【００１３】
【図１】実施形態に係るオーディオ装置の概要構成を示すブロック図である。
【図２】実施例に係る音響装置の概要構成を示すブロック図である。
【図３】実施例に係るＦＦＴ（Fast Fourier Transform）演算処理を説明する図であり、（ａ）はバッファデータを例示する図であり、（ｂ）はＦＦＴ後のデータを例示する図であり、（ｃ）は演算結果を例示する図である。
【図４】実施例に係る音響装置の動作を示すフローチャートであり、（ａ）は全体動作を示すフローチャートであり、（ｂ）は実施例に係るイコライザ処理を示すフローチャートである。
【発明を実施するための形態】
【００１４】
次に、本願を実施するための形態について、図１を用いて説明する。なお図１は、実施形態に係る異常検出装置等の概要構成を示すブロック図である。
【００１５】
図１に示すように、実施形態に係るオーディオ装置Ｓはスピーカ手段２に接続されている。このオーディオ装置Ｓは、増幅手段１と、異常状態検出手段３と、信号諸元検出手段４と、記憶手段５と、記憶制御手段６と、を備えて構成されている。
【００１６】
この構成において、増幅手段１には、スピーカ手段２から放音されるべき音に対応する入力信号Ｓinが入力されている。増幅手段３は、入力信号Ｓinを増幅し、スピーカ手段２を駆動するための駆動信号Ｓdを生成してスピーカ手段２に出力する。
【００１７】
一方、増幅手段１に接続された異常状態検出手段３は、当該増幅手段１における異常状態を検出する。更に信号諸元検出手段４は、増幅手段１における異常状態が検出されたタイミングにおける入力信号Ｓinの入力レベル及び周波数を夫々検出する。そして記憶制御手段６は、信号諸元検出手段４により検出された入力レベルを示す入力レベル情報と、同様に検出された周波数を示す周波数情報と、上記異常状態が検出されたタイミングを示すタイミング情報と、を含む諸元情報Ｓspを記憶手段５に記憶させるように、信号諸元検出手段４及び記憶手段５を制御する。このようにして記憶された諸元情報Ｓspは、事後的に実施される故障解析等に用いられる。
【００１８】
以上説明したように、実施形態に係るオーディオ装置Ｓの動作によれば、増幅手段１において異常状態が検出されたタイミングに対応する諸元情報Ｓspを記憶手段５に記憶する。よって、入力レベル情報及びタイミング情報に加えて周波数情報も記憶することで、故障発生時の故障解析をより短時間で容易に行うことができる。より具体的には、入力インピーダンスが周波数により変化するスピーカ手段２に接続されるオーディオ装置Ｓの動作が、入力信号Ｓin等の周波数により変化しても、その動作を示す情報を周波数情報と共に記憶することで、周波数に基づく故障の原因事象について事後的な解析が可能となる。
【実施例】
【００１９】
次に、上述した実施形態に対応する具体的な実施例について、図２乃至図４を用いて説明する。なお以下に説明する実施例は、外部からの音信号Ｓadを増幅して放音させるオーディオ装置を含む音響装置に対して、本願を適用した場合の実施例である。
【００２０】
また、図２は実施例に係る音響装置の概要構成を示すブロック図であり、図３は実施例に係るＦＦＴ演算処理を説明する図であり、図４は実施例に係る音響装置の動作を示すフローチャートである。このとき図２及び図３では、図１に示した実施形態に係るオーディオ装置Ｓにおける各構成部材に対応する実施例の構成部材夫々について、当該オーディオ装置Ｓにおける各構成部材と同一の部材番号を用いている。
【００２１】
図２に示すように、実施例に係る音響装置ＡＰは、実施形態に係るオーディオ装置Ｓに相当するオーディオ装置ＳＳと、スピーカ手段２の一例としてのスピーカ２と、により構成されている。これに加えて音響装置ＡＰは、携帯型無線電話機２０及び通信回線２１を介して、外部のサーバ装置２２と接続可能とされている。この携帯型無線電話機２０を、以下の説明では単に携帯電話２０と称する。
【００２２】
また実施例に係るオーディオ装置ＳＳは、ボリューム部１０と、遅延部１１と、減衰手段の一例としてのイコライザ１２と、増幅手段の一例としての増幅部１と、異常状態検出手段３の一例としての過電流検出部３と、バッファ１３と、ＦＦＴ演算部１４と、演算結果記憶部１５と、記憶制御手段６の一例としてのシステム制御部６と、比較手段の一例としてのイコライザ処理判断部１６と、リアルタイムクロック生成部１７と、記憶手段５の一例としてのログ記憶部５と、により構成されている。このとき、バッファ１３、ＦＦＴ演算部１４、演算結果記憶部１５及びシステム制御部６が、信号諸元検出手段４の一例に相当する。
【００２３】
次に動作を説明する。
【００２４】
ボリューム部１０は、スピーカ４から放音されるべき音に対応し且つ外部から入力されてくる音信号Ｓadを、音響装置ＡＰの操作者の操作により指定された減衰率により減衰し、上記入力信号Ｓinを生成して遅延部１１及びバッファ１３に出力する。このときのボリューム部１０の設定値を示す情報は、システム制御部６に出力されている。遅延部１１は当該入力信号Ｓinを、後述するイコライザ処理に対応して予め設定された遅延時間だけ遅延させ、イコライザ１２に出力する。イコライザ１２は、後述するイコライザ処理により、後述する周波数の入力信号Ｓinのみを必要に応じて減衰させ、増幅部１に出力する。増幅部１は、入力信号Ｓinを増幅し、上記駆動信号Ｓdとしてスピーカ２に出力する。これにより、音信号Ｓadに対応する音がスピーカ２から放音される。
【００２５】
一方、入力信号Ｓinが入力されているバッファ１３は、当該入力信号Ｓinを予め設定された所定時間毎にサンプリングし、バッファデータとして記憶する。この時バッファ１３には、図３（ａ）に例示するように時間軸に対して離散的なバッファデータＢＤが、入力信号Ｓinに基づいて記憶される。次にＦＦＴ演算部１４は、バッファ１３に記憶されているバッファデータＢＤの夫々に対してＦＦＴ演算を施し、その演算結果をサンプリングタイミング毎に演算結果記憶部１５に記憶させる。この時、バッファデータＢＤの夫々に対してＦＦＴ演算を施した結果は、例えば図３（ｂ）に例示するように、各サンプリングタイミング毎且つ周波数毎に各バッファデータＢＤに対応する入力信号Ｓinの入力レベルを示したものとなる。またこれにより演算結果記憶部１５に記憶される演算結果Ｒは、図３（ｃ）に例示するように、各サンプリングタイミング毎且つ周波数毎に入力レベルを示したデータとなる。この演算結果Ｒは、必要に応じてシステム制御部６により読み出される。
【００２６】
一方過電流検出部３は、例えば上記特許文献１に開示されている手法と同様の手法を用いて、増幅部１において発生した過電流を検出する。その後過電流検出部３は、当該過電流が発生したことが検出されたら、その旨を示す過電流検出信号をシステム制御部６に出力する。更にリアルタイムクロック生成部１７は現在時刻を常に計時し、当該現在時刻を示すリアルタイムクロックをシステム制御部６に出力する。
【００２７】
システム制御部６は、上記過電流検出信号が過電流検出部３から出力されてきたら、当該過電流が発生したタイミングに相当するサンプリングタイミングの演算結果Ｒを演算結果記憶部１５から読み出す。そしてシステム制御部６は、読み出した演算結果Ｒに対して、そのタイミングを示す時刻情報と、そのタイミングにおけるボリューム部１０の設定値を示す情報と、を付加し、図３（ｄ）に例示するログデータＬＧを生成する。このログデータＬＧは、上記諸元情報Ｓspとしてログ記憶部５に出力され、記憶される。これらの動作により、ログ記憶部５には、図３（ｄ）に例示するように、増幅部１において過電流が発生したタイミングを示す時刻情報と、そのタイミングにおけるボリューム部１０の設定値を示す情報と、そのタイミングに対応する演算結果Ｒと、を含むログデータＬＧが、当該過電流が発生したタイミング毎に蓄積されていく。
【００２８】
他方、システム制御部６は、イコライザ処理部１６を制御することにより、イコライザ１２における後述するイコライザ処理を実行させる。またシステム制御部６は、後述するタイミングにおいて、ログ記憶部５に記憶されているログデータＬＧを、携帯電話２０及び通信回線２１を介してサーバ装置２２に出力する。サーバ装置２２は、出力されてきたログデータＬＧを記憶する。
【００２９】
次に、上述したシステム制御部６における実施例に係る動作について、纏めて図４（ａ）を用いて説明する。
【００３０】
図４（ａ）に示すように、実施例に係るシステム制御部６は、音響装置ＡＰとしての図示しない電源スイッチがオンとされると、上記過電流検出信号が過電流検出部３から出力されてきたか否かを監視する（ステップＳ１）。ステップＳ１の動作において、過電流検出信号が出力されてこない場合（ステップＳ１；ＮＯ）、システム制御部６は後述するステップＳ７の動作に移行する。一方ステップＳ１の監視において過電流検出信号が出力されてきたら（ステップＳ１；ＹＥＳ）、システム制御部６は、上記リアルタイムクロックをリアルタイムクロック生成部１７から読み込み（ステップＳ２）、その読み込んだリアルタイムクロックにより示されるタイミングにおけるボリューム部１０の設定値を示す情報を読み込む（ステップＳ３）。
【００３１】
次にシステム制御部６は、当該タイミングに対応する演算結果Ｒを演算結果記憶部１５から読み込み（ステップＳ４）、この演算結果Ｒを含む上記ログデータＬＧを生成してログ記憶部５に記憶させる（ステップＳ５）。その後システム制御部６は、ログ記憶部５に記憶させたログデータＬＧを携帯電話２０及び通信回線２１を介してサーバ装置２２に記憶させる（ステップＳ６）。次にシステム制御部６は、音響装置ＡＰの上記電源スイッチがオフとされたか否かを確認する（ステップＳ７）。ステップＳ７の確認において電源スイッチがオフとされていない場合（ステップＳ７；ＮＯ）、システム制御部６は上記ステップＳ１の監視に移行する。一方ステップＳ７の確認において電源スイッチがオフとされている場合（ステップＳ７；ＹＥＳ）、音響装置ＡＰはそのまま実施例の動作を終了する。
【００３２】
次に、システム制御部６の制御の下、上記イコライザ処理判断部１６及びイコライザ１２により実行される、実施例に係るイコライザ処理について、図４（ｂ）を用いて説明する。なおこのイコライザ処理は、例えば予め設定されたタイミング毎の割り込み処理として、システム制御部６並びにイコライザ処理判断部１６及びイコライザ１２において繰り返される処理である。
【００３３】
実施例に係るイコライザ処理において、図４（ｂ）に示すようにイコライザ処理判断部１６は、ログ記憶部５にいずれかのログデータＬＧが記憶されているか否かをシステム制御部６を介して監視している（ステップＳ１０）。ステップＳ１０の監視において、未だログデータＬＧが記憶されない場合（ステップＳ１０；ＮＯ）、イコライザ処理判断部１６は実施例に係るイコライザ処理を終了する。一方ステップＳ１０の監視においてログデータＬＧが記憶されていた場合（ステップＳ１０；ＹＥＳ）、イコライザ処理判断部１６は、そのログデータＬＧの中から最も入力レベルが高かった周波数の当該入力レベルを閾値として、現在入力されている入力信号Ｓinにおけるその周波数の入力レベルがその閾値以上となったか否かを判定する（ステップＳ１１）。このステップＳ１１の判定動作においては、例えば図３（ｄ）に例示するログデータＬＧ、即ち過電流が増幅部１で発生したタイミングにおけるログデータＬＧでは、入力信号Ｓinの入力レベルの最大値は、周波数が１００ヘルツであったときの「１２４」である。よってステップＳ１１の判定動作においては、周波数１００ヘルツの入力信号Ｓinの入力レベル「１２４」を閾値とする。そしてイコライザ処理判断部１６は、現在入力されている入力信号Ｓinにおける周波数１００ヘルツの入力レベルが閾値「１２４」以上となったか否かを判定する。
【００３４】
上記ステップＳ１１の判定動作において、現在入力されている入力信号Ｓinにおける当該周波数（例えば１００ヘルツ）の入力レベルが閾値（例えば「１２４」）以上でない場合（ステップＳ１１；ＮＯ）、イコライザ処理判断部１６は実施例に係るイコライザ処理を終了する。一方ステップＳ１１の判定において、現在入力されている入力信号Ｓinにおける当該周波数の入力レベルが閾値以上である場合（ステップＳ１１；ＹＥＳ）、イコライザ処理判断部１６はイコライザ１２を制御して、当該入力信号Ｓinにおけるその周波数（例えば１００ヘルツ）の入力レベルを当該閾値（例えば「１２４」）未満とした後に、増幅部１に出力させる。このときイコライザ処理判断部１６は、当該入力信号Ｓinにおけるその周波数の入力レベルのみを当該閾値未満とすると共に、他の周波数の入力信号Ｓinの入力レベルは減衰させないように、イコライザ１２を制御する。
【００３５】
以上説明したように、実施例に係る音響装置ＡＰの動作によれば、増幅部１において異常状態が検出されたタイミングに対応するログデータＬＧを記憶するので、入力レベル及び時刻情報に加えて入力信号Ｓinの周波数も記憶することで、故障発生時の故障解析をより短時間で容易に行うことができる。
【００３６】
また、ログデータＬＧの記憶を過電流が発生する度に繰り返すので、ログデータＬＧが継続的に記憶されることにより、故障発生時の故障解析をより短時間でより容易に行うことができる。
【００３７】
更に、ログデータＬＧを外部のサーバ装置２２に出力して記憶させるので、当該サーバ装置２２において各情報を蓄積して故障の解析に用いることができる。
【００３８】
更にまた、入力信号Ｓinの入力レベルがログデータＬＧとして記憶されている入力レベル以上であるとき、その入力信号Ｓinの入力レベルが記憶されている入力レベル未満となるように入力信号Ｓinを減衰させて増幅部１に出力するので、増幅部１における異常状態の発生を未然に防止できる。また、ログデータＬＧにより示されている周波数の入力信号Ｓinのみを減衰させ、他の周波数の入力信号Ｓinはそのまま駆動信号Ｓdの生成に用いるので、聴取者に違和感を抱かせることなく異常状態の発生を未然に防止できる。
【００３９】
また、増幅部１における過電流が生じたタイミングに対応するログデータＬＧを記憶させるので、増幅部１の故障を有効に防止できる。
【００４０】
なお、上述した実施例では、異常状態検出手段として、増幅部１における過電流の発生を異常状態として検出する構成としたが、この他に、例えば増幅部１又はオーディオ装置ＳＳ全体における温度異常又は電源電圧異常或いはＤＣオフセット（増幅部１の出力に現れる直流電圧成分）異常等を検出する構成としてもよく、これらの検出を示す検出信号の発生したタイミングに対応するログデータＬＧを、過電流が発生したタイミングに対応するログデータＬＧに代えて、又は過電流が発生したタイミングに対応するログデータＬＧと共に、ログ記憶部５に記憶するように構成してもよい。この場合のログデータＬＧとしては、図４（ｄ）に例示する構成に加えて、いずれの異常に基づくログデータＬＧであるかを明示する情報を各ログデータＬＧに含ませるのが好適である。
【００４１】
更に、図４（ａ）に示したフローチャートに相当するプログラムを、フレキシブルディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係るシステム制御部６として機能させることも可能である。
【００４２】
また、図４（ｂ）に示したフローチャートに相当するプログラムを、フレキシブルディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係るイコライザ処理判断部１６として機能させることも可能である。
【符号の説明】
【００４３】
１    増幅手段（増幅部）
２    スピーカ手段（スピーカ）
３    異常状態検出手段（過電流検出部）
４    信号諸元検出手段
５    記憶手段（ログ記憶部）
６    記憶制御手段（システム制御部）
１０    ボリューム部
１１    遅延部
１２    イコライザ
１３    バッファ
１４    ＦＦＴ演算部
１５    演算結果記憶部
１６    イコライザ処理判断部
１７    リアルタイムクロック生成部
２０    携帯型無線電話機（携帯電話）
２１    通信回線
Ｓ、ＳＳ    オーディオ装置
ＡＰ    音響装置
ＢＤ    バッファデータ
Ｒ    演算結果
ＬＧ    ログデータ
【図１】
2011205566.tif 000003
【図２】
2011205566.tif 000004
【図３】
2011205566.tif 000005
【図４】
2011205566.tif 000006